(57)【特許請求の範囲】
【請求項１】
ネットワーク上に配されたクライアント装置から出力装置へ出力データを出力し得る出力システムであって、
前記出力装置に関する情報である出力装置設定情報をユーザに対応付けて記憶する出力装置設定情報記憶手段と、
ユーザの識別情報を取得するユーザ識別情報取得手段と、
前記ユーザ識別情報取得手段により取得された識別情報に基づいて、前記出力装置設定情報記憶手段により該ユーザに対応付けられて記憶されている出力装置設定情報を要求する出力装置設定情報要求手段と、
前記出力装置設定情報要求手段からの要求に基づいて、該ユーザに対応付けられて記憶されている出力装置設定情報を前記クライアント装置へ送る出力装置設定情報管理手段と、
前記出力装置設定情報管理手段により送られてきた出力装置設定情報に基づいて、前記クライアント装置を複数の出力装置のうち出力が許可されているものに出力データを出力することが可能な状態とする出力可能状態設定手段と、
を備えることを特徴とする出力システム。
【請求項２】
前記出力装置設定情報記憶手段により記憶される出力装置設定情報を編集する出力装置設定情報編集手段を更に備えることを特徴とする請求項１記載の出力システム。
【請求項３】
前記出力装置設定情報編集手段による出力装置設定情報の編集の可否をユーザに応じて制限する出力装置設定情報管理手段を更に備えることを特徴とする請求項２記載の出力システム。
【請求項４】
前記出力装置設定情報編集手段による出力装置設定情報の編集の可否を各項目毎に制限する出力装置設定情報管理手段を更に備えることを特徴とする請求項２記載の出力システム。
【発明の詳細な説明】
【０００１】
【発明の属する技術分野】
本発明は、ネットワーク上に出力装置およびクライアント装置が配され、クライアント装置から出力装置へ出力データを出力し得る出力システムに関するものである。
【０００２】
【従来の技術】
ネットワーク上に出力装置（プリンタ等）およびクライアント装置が配された出力システムでは、クライアント装置から出力装置へ出力データを出力することを可能とする為の環境設定をクライアント装置において行う必要がある。クライアント装置が出力装置を使用し得る環境に設定するに際して、そのクライアント装置は、出力装置の設置環境に関する環境情報（例えば、ネットワーク上のＩＰアドレス、出力装置の種類や機種、出力装置のオプション構成、等）を取得して、これらの環境情報に基づいて出力装置を使用する為の環境を設定する。しかし、これらの環境情報は一般ユーザにとってわかり難く、また、環境設定の作業に多大な工数が必要となる。このような問題点を解消すべく、特開平６−２４２９０３号公報には、クライアント装置より出力装置へ出力要求を行う際に該クライアント装置と該出力装置とを自動接続する発明が開示されている。
【０００３】
【発明が解決しようとする課題】
しかしながら、上記公報に開示された発明では、出力要求の際にクライアント装置と出力装置とを自動接続するとはいっても、出力装置へ出力データを出力する際の出力形式に関する出力形式情報（例えば、片面印刷／両面印刷の別、カラー／モノクロの別、給紙トレイの指定、等）については、ユーザがクライアント装置において設定する必要がある。また、或るユーザが複数のクライアント装置を使用することが可能な環境下では、このような出力形式情報の設定を各クライアント装置毎に行う必要がある。したがって、クライアント装置が出力装置を所望の印刷形式で使用し得る環境に設定するには、依然として多大な工数が必要となる。
【０００４】
本発明は、上記問題点を解消する為になされたものであり、クライアント装置が出力装置に対して出力データを所望の印刷形式で出力し得る環境に設定することが容易にできる出力システムを提供することを目的とする。
【０００５】
【課題を解決するための手段】
本発明に係る出力システムは、ネットワーク上に配されたクライアント装置から出力装置へ出力データを出力し得る出力システムであって、(1) 出力装置に関する情報である出力装置設定情報をユーザに対応付けて記憶する出力装置設定情報記憶手段と、(2) ユーザの識別情報を取得するユーザ識別情報取得手段と、(3) ユーザ識別情報取得手段により取得された識別情報に基づいて、出力装置設定情報記憶手段により該ユーザに対応付けられて記憶されている出力装置設定情報を要求する出力装置設定情報要求手段と、(4) 出力装置設定情報要求手段からの要求に基づいて、該ユーザに対応付けられて記憶されている出力装置設定情報をクライアント装置へ送る出力装置設定情報管理手段と、(5) 出力装置設定情報管理手段により送られてきた出力装置設定情報に基づいて、クライアント装置を複数の出力装置のうち出力が許可されているものに出力データを出力することが可能な状態とする出力可能状態設定手段と、を備えることを特徴とする。
【０００７】
本発明に係る出力システムによれば、出力装置に関する情報である出力装置設定情報がユーザに対応付けられて出力装置設定情報記憶手段により予め記憶されている。ユーザの識別情報がユーザ識別情報取得手段により取得される。そして、この取得された識別情報に基づいて、出力装置設定情報要求手段により、出力装置設定情報記憶手段により該ユーザに対応付けられて記憶されている出力装置設定情報の取得が要求される。
【０００８】
この要求に基づいて、出力装置設定情報管理手段により、該ユーザに対応付けられて記憶されている出力装置設定情報がクライアント装置へ送られる。この送られてきた出力装置設定情報に基づいて、出力可能状態設定手段により、クライアント装置は、複数の出力装置のうち出力が許可されているものに出力データを出力することが可能な状態とされる。その後に、出力指示手段により、出力装置に対し出力データを出力するよう指示が出されることになる。
【０００９】
ここで、出力装置設定情報とは、出力装置の設置環境に関する環境情報（例えば、ネットワーク上のＩＰアドレス、出力装置の種類や機種、出力装置におけるソータやステイプラ等のオプション構成、等）だけでなく、出力装置へ出力データを出力する際の出力形式に関する出力形式情報（例えば、片面印刷／両面印刷の別、カラー／モノクロの別、給紙トレイの指定、等）をも含む。この出力装置設定情報は、各ユーザ毎に存在し、各ユーザに対応付けられて記憶される。
【００１０】
本発明に係る出力システムは、出力装置設定情報記憶手段により記憶される出力装置設定情報を編集する出力装置設定情報編集手段を更に備えることを特徴とする。この場合には、出力装置設定情報記憶手段により記憶される出力装置設定情報は、出力装置設定情報編集手段により編集される。ここで、編集とは、既に記憶されている出力装置設定情報の修正だけでなく、記憶されている出力装置設定情報の削除、新規に出力装置設定情報を作成して登録することをも含む。
【００１１】
本発明に係る出力システムは、出力装置設定情報編集手段による出力装置設定情報の編集の可否をユーザに応じて制限する出力装置設定情報管理手段を更に備えることを特徴とする。この場合には、出力装置設定情報管理手段により、出力装置設定情報編集手段による出力装置設定情報の編集の可否がユーザに応じて制限される。このようにすることで、特定のユーザのみが出力装置設定情報の編集を許可されるので、記憶される出力装置設定情報を管理する上で好適となる。
【００１２】
本発明に係る出力システムは、出力装置設定情報編集手段による出力装置設定情報の編集の可否を各項目毎に制限する出力装置設定情報管理手段を更に備えることを特徴とする。この場合には、出力装置設定情報管理手段により、出力装置設定情報編集手段による出力装置設定情報の編集の可否が各項目毎に制限される。このようにすることで、出力装置設定情報に含まれる各項目のうち特定の項目のみが編集を許可されるので、記憶される出力装置設定情報を管理する上で好適となる。
【００１３】
【発明の実施の形態】
以下、添付図面を参照して本発明の実施の形態を詳細に説明する。なお、図面の説明において同一の要素には同一の符号を付し、重複する説明を省略する。
【００１４】
図１は、本実施形態に係る出力システム１００の概略構成図である。この出力システム１００は、クライアント装置１１０、サーバ装置１２０および出力装置１３０をネットワーク上に有するものである。出力装置１３０は、プリンタやプロッタ等である。
【００１５】
クライアント装置１１０は、送受信手段１１１、ユーザ識別情報取得手段１１２、出力装置設定情報要求手段１１３、出力可能状態設定手段１１４、出力指示手段１１５および出力装置設定情報編集手段１１６を有する。送受信手段１１１は、ネットワークに対して各種のデータを送受信するためのインターフェースである。
【００１６】
ユーザ識別情報取得手段１１２は、クライアント装置１１０からユーザが出力装置１３０へ出力データを出力しようとする際（例えばログイン時や出力要求時）に、そのユーザの識別情報を取得する。出力装置設定情報要求手段１１３は、ユーザ識別情報取得手段１１２により取得された識別情報に基づいて、サーバ装置１２０の出力装置設定情報記憶手段１２２により該ユーザに対応付けられて記憶されている出力装置設定情報を要求する。
【００１７】
出力可能状態設定手段１１４は、サーバ装置１２０の出力装置設定情報管理手段１２３により送られてきた出力装置設定情報に基づいて、クライアント装置１１０を出力装置１３０に出力データを出力することが可能な状態とする。出力指示手段１１５は、出力可能状態設定手段１１４がクライアント装置１１０を出力装置１３０に出力データを出力することが可能な状態とした後に、出力装置１３０に対し出力データを出力するよう指示する。出力装置設定情報編集手段１１６は、サーバ装置１２０の出力装置設定情報記憶手段１２２により記憶される出力装置設定情報を編集する。
【００１８】
サーバ装置１２０は、送受信手段１２１、出力装置設定情報記憶手段１２２および出力装置設定情報管理手段１２３を有する。送受信手段１２１は、ネットワークに対して各種のデータを送受信するためのインターフェースである。出力装置設定情報記憶手段１２２は、出力装置設定情報をユーザに対応付けて記憶する。力装置設定情報管理手段１２３は、出力装置設定情報記憶手段１２２に記憶されている出力装置設定情報を管理し、また、クライアント装置１１０からの指示に基づいて出力装置設定情報を変更し、出力装置設定情報をクライアント装置１１０へ送る。また、出力装置設定情報管理手段１２３は、出力装置設定情報の編集の可否をユーザに応じて制限し、また、出力装置設定情報に含まれる各項目毎に編集の可否を制限する。
【００１９】
なお、クライアント装置１１０のユーザ識別情報取得手段１１２は、本実施形態に係る出力制御方法のユーザ識別情報取得ステップの機能を果たすものである。クライアント装置１１０の出力装置設定情報要求手段１１３は、本実施形態に係る出力制御方法の出力装置設定情報要求ステップの機能を果たすものである。クライアント装置１１０の出力可能状態設定手段１１４は、本実施形態に係る出力制御方法の出力可能状態設定ステップの機能を果たすものである。クライアント装置１１０の出力指示手段１１５は、本実施形態に係る出力制御方法の出力指示ステップの機能を果たすものである。クライアント装置１１０の出力装置設定情報編集手段１１６は、本実施形態に係る出力制御方法の出力装置設定情報編集ステップの機能を果たすものである。サーバ装置１２０の出力装置設定情報記憶手段１２２は、本実施形態に係る出力制御方法の出力装置設定情報記憶ステップの機能を果たすものである。サーバ装置１２０の出力装置設定情報管理手段１２３は、本実施形態に係る出力制御方法の出力装置設定情報管理ステップの機能を果たすものである。
【００２０】
図２および図３は、本実施形態に係る出力システム１００の出力装置設定情報記憶手段１２２に記憶される出力装置設定情報の説明図である。図２は、出力装置設定情報のうち、出力装置の設置環境に関する環境情報を示す。図３は、出力装置設定情報のうち、出力装置へ出力データを出力する際の出力形式に関する出力形式情報を示す。
【００２１】
サーバ装置１２０の出力装置設定情報記憶手段１２２は、図２に示すように、出力装置名、ＩＰアドレス、ドライバ名およびデフォルト設定状態を、環境情報として各出力装置毎に記憶している。また、出力装置設定情報記憶手段１２２は、図３に示すように、給紙トレイ、排出トレイ、印刷モード、カラーモードおよびフィニッシングを、出力形式情報としてユーザ毎に且つ出力装置毎に記憶している。また、出力装置設定情報記憶手段１２２は、出力形式情報の各項目毎にアクセス権（変更の可否、使用の可否）をも記憶している。図３は、或る特定のユーザＡに対応して記憶されている出力形式情報を示す。
【００２２】
この図に示した例では、ユーザＡは、印刷装置ａまたは印刷装置ｂを使用することが許可されているが、印刷装置ｃを使用することは禁止されている。ユーザＡが印刷装置ａを使用する場合には、排出トレイがＭＢＸビン２であって変更不可であり、カラーモードがモノクロであって変更不可である。しかし、ユーザＡが印刷装置ａを使用する場合には、給紙トレイが標準に設定されているが変更可能であり、印刷モードが速度優先に設定されているが変更可能であり、フィニッシングが４ｕｐに設定されているが変更可能である。なお、４ｕｐとは、１つの物理ページ（用紙）に４つの論理ページを配置して印刷することを意味する。
【００２３】
次に、本実施形態に係る出力システム１００の動作について説明するとともに、本実施形態に係る出力制御方法について説明する。以下では、出力データの出力、出力装置設定情報の登録、および、出力装置設定情報の変更それぞれの動作について説明する。
【００２４】
図４は、本実施形態に係る出力システム１００および出力制御方法における出力データの出力の動作を説明するフローチャートである。或るユーザＡがクライアント装置１１０よりログインする（ステップＳ１０）と、クライアント装置１１０のユーザ識別情報取得手段１１２は、そのユーザＡの識別情報を取得する（ステップＳ１１）。クライアント装置１１０の出力装置設定情報要求手段１１３は、ユーザ識別情報取得手段１１２により取得された識別情報に基づいて、サーバ装置１２０の出力装置設定情報記憶手段１２２により該ユーザＡに対応付けられて記憶されている出力装置設定情報を取得するよう、送受信手段１１１および送受信手段１２１を介して出力装置設定情報管理手段１２３に対し要求する（ステップＳ１２）。
【００２５】
この要求に応えて、サーバ装置１２０の出力装置設定情報管理手段１２３は、送られてきた識別情報に基づいてユーザＡからの使用要求であることを認識し、出力装置設定情報記憶手段１２２により記憶されている出力装置設定情報のうちから該ユーザＡに対応するものを検索し、この検索により得られた出力装置設定情報を、送受信手段１２１および送受信手段１１１を介してクライアント装置１１０へ送る（ステップＳ１３）。
【００２６】
クライアント装置１１０の出力可能状態設定手段１１４は、サーバ装置１２０の出力装置設定情報管理手段１２３により送られてきた出力装置設定情報に基づいて、クライアント装置１１０を出力装置１３０に出力データを出力することが可能な状態とする（ステップＳ１４）。このとき、出力可能状態設定手段１１４は、出力装置設定情報に含まれる環境情報に基づいて、クライアント装置１１０が出力装置１３０へ出力データを出力することができる状態に設定するとともに、出力装置設定情報に含まれる出力形式情報に基づいて、クライアント装置１１０が出力装置１３０へ出力データを出力する際の出力形式を設定する。そして、クライアント装置１１０の出力指示手段１１５は、出力装置１３０に対し出力データを出力するよう指示する（ステップＳ１５）。
【００２７】
図５は、本実施形態に係る出力システム１００および出力制御方法における管理ユーザによる出力装置設定情報の登録の動作を説明するフローチャートである。出力装置設定情報の登録は、一般ユーザに許可されてはおらず、システム管理を行う管理ユーザに許可されているのが好適である。出力装置設定情報の登録が許可された管理ユーザがクライアント装置１１０よりログインする（ステップＳ２０）と、クライアント装置１１０のユーザ識別情報取得手段１１２は、その管理ユーザの識別情報を取得する（ステップＳ２１）。クライアント装置１１０の出力装置設定情報編集手段１１６は、ユーザ識別情報取得手段１１２により取得された識別情報とともにサーバ装置１２０の出力装置設定情報記憶手段１２２により記憶されている出力装置設定情報を取得する旨の要求を、送受信手段１１１および送受信手段１２１を介して出力装置設定情報管理手段１２３に対し送る（ステップＳ２２）。
【００２８】
この要求に応えて、サーバ装置１２０の出力装置設定情報管理手段１２３は、送られてきた識別情報に基づいて管理ユーザからの編集要求であることを認識するとともに、その編集を許可する。そして、出力装置設定情報管理手段１２３は、出力装置設定情報記憶手段１２２により記憶されている出力装置設定情報を、送受信手段１２１および送受信手段１１１を介してクライアント装置１１０へ送る（ステップＳ２３）。
【００２９】
クライアント装置１１０の出力装置設定情報編集手段１１６は、サーバ装置１２０の出力装置設定情報管理手段１２３により送られてきた出力装置設定情報を画面上に表示するとともに、管理ユーザによる編集（新規登録、修正、削除）を受け付ける（ステップＳ２４）。このとき、管理ユーザは、出力装置設定情報のうちの環境情報を編集し、出力装置設定情報のうちの出力形式情報の各項目について一般ユーザに使用または変更を許可するか否かを指定し、また、出力形式情報の各項目のうち一般ユーザによる変更を禁止する項目の内容を編集する。管理ユーザによる編集が終了すると、出力装置設定情報編集手段１１６は、その編集された出力装置設定情報を、送受信手段１１１および送受信手段１２１を介してサーバ装置１２０の出力装置設定情報管理手段１２３に対し送る（ステップＳ２５）。そして、出力装置設定情報管理手段１２３は、送られてきた出力装置設定情報を出力装置設定情報記憶手段１２２に記憶させる（ステップＳ２６）。
【００３０】
図６は、本実施形態に係る出力システム１００および出力制御方法における一般ユーザによる出力装置設定情報の変更の動作を説明するフローチャートである。或る一般のユーザＡがクライアント装置１１０よりログインする（ステップＳ３０）と、クライアント装置１１０のユーザ識別情報取得手段１１２は、そのユーザＡの識別情報を取得する（ステップＳ３１）。クライアント装置１１０の出力装置設定情報編集手段１１６は、ユーザ識別情報取得手段１１２により取得された識別情報とともにサーバ装置１２０の出力装置設定情報記憶手段１２２により記憶されている出力装置設定情報を取得する旨の要求を、送受信手段１１１および送受信手段１２１を介して出力装置設定情報管理手段１２３に対し送る（ステップＳ３２）。
【００３１】
この要求に応えて、サーバ装置１２０の出力装置設定情報管理手段１２３は、送られてきた識別情報に基づいて一般のユーザＡからの編集要求であることを認識して、そのユーザＡに対応する出力装置設定情報の編集を許可する。そして、出力装置設定情報管理手段１２３は、出力装置設定情報記憶手段１２２により記憶されている出力装置設定情報のうちから該ユーザＡに対応するものを検索し、この検索により得られた出力装置設定情報を、送受信手段１２１および送受信手段１１１を介してクライアント装置１１０へ送る（ステップＳ３３）。
【００３２】
クライアント装置１１０の出力装置設定情報編集手段１１６は、サーバ装置１２０の出力装置設定情報管理手段１２３により送られてきた出力装置設定情報を画面上に表示するとともに、ユーザＡによる編集を受け付ける（ステップＳ３４）。このとき、一般のユーザＡは、出力装置設定情報のうち変更が許可された項目のみ編集することが可能である。ユーザＡによる編集が終了すると、出力装置設定情報編集手段１１６は、その編集された出力装置設定情報を、送受信手段１１１および送受信手段１２１を介してサーバ装置１２０の出力装置設定情報管理手段１２３に対し送る（ステップＳ３５）。そして、出力装置設定情報管理手段１２３は、送られてきた出力装置設定情報を出力装置設定情報記憶手段１２２に更新記憶させる（ステップＳ３６）。
【００３３】
以上のように、本実施形態に係る出力システム１００および出力制御方法では、出力装置１３０に関する情報である出力装置設定情報がユーザに対応付けられて出力装置設定情報記憶手段１２２により予め記憶されている。ユーザがクライアント装置１１０から出力装置１３０へ出力データを出力しようとする際に、そのユーザの識別情報がユーザ識別情報取得手段１１２により取得される。そして、この取得された識別情報に基づいて、出力装置設定情報要求手段１１３により、出力装置設定情報記憶手段１２２により該ユーザに対応付けられて記憶されている出力装置設定情報の取得が要求される。この要求に基づいて、出力装置設定情報管理手段１２３により、該ユーザに対応付けられて記憶されている出力装置設定情報が検索され、この検索により得られた出力装置設定情報がクライアント装置１１０へ送られる。この送られてきた出力装置設定情報に基づいて、出力可能状態設定手段１１４により、クライアント装置１１０は出力装置１３０に出力データを出力することが可能な状態とされる。その後、出力指示手段１１５により、出力装置１３０に対し出力データを出力するよう指示が出される。
【００３４】
このように、本実施形態では、ユーザがクライアント装置１１０から出力装置１３０へ出力データを出力する際に、クライアント装置１１０は、出力装置１３０の設置環境に関する環境情報を取得するだけでなく、出力装置１３０へ出力データを出力する際の出力形式に関する出力形式情報をも取得し、これらの情報に基づいて、出力装置１３０に対して出力データを所望の印刷形式で出力し得る環境に設定することが容易にできる。
【００３５】
また、或るユーザが複数のクライアント装置を使用することが可能な環境下であっても、各クライアント装置では、既に記憶されている出力装置設定情報（環境情報および出力形式情報を含む）を取得して、出力装置１３０に対して出力データを所望の印刷形式で出力し得る環境に設定することが容易にできる。
【００３６】
また、出力装置設定情報編集手段１１６により変更された出力装置設定情報は、その変更された内容が出力装置設定情報記憶手段１２２により記憶される。その後にユーザが出力しようとするときには、クライアント装置では、その変更されて記憶された出力装置設定情報を取得して、出力装置１３０に対して出力データを所望の印刷形式で出力し得る環境に設定することが容易にできる。
【００３７】
本発明は、上記実施形態に限定されるものではなく種々の変形が可能である。上記実施形態では、ネットワーク上にクライアント装置、サーバ装置および印刷装置が存在するものとして説明したが、これに限られない。例えば、サーバ装置と印刷装置とが一体であってもよいし、或るクライアント装置とサーバ装置とが一体であってもよい。
【００３８】
【発明の効果】
以上、詳細に説明したとおり、本発明に係る出力システムによれば、出力装置に関する情報である出力装置設定情報がユーザに対応付けられて出力装置設定情報記憶手段により予め記憶されている。ユーザの識別情報がユーザ識別情報取得手段により取得される。そして、この取得された識別情報に基づいて、出力装置設定情報要求手段により、出力装置設定情報記憶手段により該ユーザに対応付けられて記憶されている出力装置設定情報の取得が要求される。この要求に基づいて、出力装置設定情報管理手段により、該ユーザに対応付けられて記憶されている出力装置設定情報がクライアント装置へ送られる。この送られてきた出力装置設定情報に基づいて、出力可能状態設定手段により、クライアント装置は、複数の出力装置のうち出力が許可されているものに出力データを出力することが可能な状態とされる。
【００３９】
このように、ユーザがクライアント装置から出力装置へ出力データを出力する際に、クライアント装置は、出力装置の設置環境に関する環境情報を取得するだけでなく、出力装置へ出力データを出力する際の出力形式に関する出力形式情報をも取得し、これらの情報に基づいて、出力装置に対して出力データを所望の印刷形式で出力し得る環境に設定することが容易にできる。また、或るユーザが複数のクライアント装置を使用することが可能な環境下であっても、各クライアント装置は、既に記憶されている出力装置設定情報（環境情報および出力形式情報を含む）を取得して、複数の出力装置のうち出力が許可されているものに対して出力データを所望の印刷形式で出力し得る環境に設定することが容易にできる。
【００４０】
また、出力装置設定情報記憶手段により記憶される出力装置設定情報は、出力装置設定情報編集手段により編集されるのが好適である。そして、出力装置設定情報管理手段により、出力装置設定情報編集手段による出力装置設定情報の編集の可否がユーザに応じて制限されるのが好適である。また、出力装置設定情報管理手段により、出力装置設定情報編集手段による出力装置設定情報の編集の可否が各項目毎に制限されるのが好適である。このようにすることで、特定のユーザのみが出力装置設定情報の編集を許可され、或いは、出力装置設定情報に含まれる各項目のうち特定の項目のみが編集を許可されるので、記憶される出力装置設定情報を管理する上で好適となる。
【図面の簡単な説明】
【図１】本実施形態に係る出力システムの概略構成図である。
【図２】本実施形態に係る出力システムの出力装置設定情報記憶手段に記憶される出力装置設定情報の説明図である。
【図３】本実施形態に係る出力システムの出力装置設定情報記憶手段に記憶される出力装置設定情報の説明図である。
【図４】本実施形態に係る出力システムおよび出力制御方法における出力データの出力の動作を説明するフローチャートである。
【図５】本実施形態に係る出力システムおよび出力制御方法における管理ユーザによる出力装置設定情報の登録の動作を説明するフローチャートである。
【図６】本実施形態に係る出力システムおよび出力制御方法における一般ユーザによる出力装置設定情報の変更の動作を説明するフローチャートである。
【符号の説明】
１００…出力システム、１１０…クライアント装置、１１１…送受信手段、１１２…ユーザ識別情報取得手段、１１３…出力装置設定情報要求手段、１１４…出力可能状態設定手段、１１５…出力指示手段、１１６…出力装置設定情報編集手段、１２０…サーバ装置、１２１…送受信手段、１２２…出力装置設定情報記憶手段、１２３…出力装置設定情報管理手段、１３０…出力装置。
【図１】
0003903676.tif 000002
【図２】
0003903676.tif 000003
【図３】
0003903676.tif 000004
【図４】
0003903676.tif 000005
【図５】
0003903676.tif 000006
【図６】
0003903676.tif 000007